(57)【要約】【課題】複数種類の遮光フィルタを切替可能に備え、外部環境の変化に対応し、外部環境に適した遮光フィルタを選択して表示パネルの上に配設するようにして、広範囲の外部環境の変化に対応することができ、外部環境の変化に関わらず、利用者が表示パネルの表示内容を正確に視認することができるとともに、第三者が表示パネルの表示内容を視認することができないようにして、第三者による覗（のぞ）き見を確実に防止することができるようにする。【解決手段】表示パネルと、該表示装置の表面上に配設された遮光パネルと、該遮光パネルの表面上に配設された透光性のタッチパネルとを備える表示装置と、環境の照度を検出する照度センサとを有し、前記遮光パネルは遮光性の相違する切替可能な複数種類の遮光フィルタを備え、前記照度センサが検出した照度に応じて、前記遮光フィルタを切り替える。【選択図】図１
2009157667.tif 000002
【特許請求の範囲】
【請求項１】
（ａ）表示パネルと、該表示パネルの表面上に配設された遮光パネルと、該遮光パネルの表面上に配設された透光性のタッチパネルとを備える表示装置と、
（ｂ）環境の照度を検出する照度センサとを有し、
（ｃ）前記遮光パネルは遮光性の相違する切替可能な複数種類の遮光フィルタを備え、
（ｄ）前記照度センサが検出した照度に応じて、前記遮光フィルタを切り替えることを特徴とする自動取引装置。
【請求項２】
（ａ）表示パネルと、該表示パネルの表面上に配設された遮光パネルと、該遮光パネルの表面上に配設された透光性のタッチパネルとを備える表示装置と、
（ｂ）利用者の接近を検出する近接センサとを有し、
（ｃ）前記遮光パネルは遮光方向の相違する切替可能な複数種類の遮光フィルタを備え、
（ｄ）前記近接センサが検出した利用者に応じて、前記遮光フィルタを切り替えることを特徴とする自動取引装置。
【請求項３】
（ａ）表示パネルと、該表示パネルの表面上に配設された遮光パネルと、該遮光パネルの表面上に配設された透光性のタッチパネルとを備える表示装置と、
（ｂ）時刻を計時する計時手段とを有し、
（ｃ）前記遮光パネルは遮光性の相違する切替可能な複数種類の遮光フィルタを備え、
（ｄ）前記計時手段が計時した時刻に応じて、前記遮光フィルタを切り替えることを特徴とする自動取引装置。
【請求項４】
前記遮光フィルタは３種類以上である請求項１〜３のいずれか１項に記載の自動取引装置。
【請求項５】
（ａ）表示パネルと、該表示パネルの表面上に配設された遮光パネルと、該遮光パネルの表面上に配設された透光性のタッチパネルとを備える表示装置と、
（ｂ）利用者の接近を検出する近接センサとを有し、
（ｃ）前記遮光パネルは有無を切替可能な遮光フィルタを備え、
（ｄ）前記近接センサが利用者を検出したか否かに応じて、前記遮光フィルタの有無を切り替えることを特徴とする自動取引装置。
【発明の詳細な説明】
【技術分野】
【０００１】
本発明は、自動取引装置に関するものである。
【背景技術】
【０００２】
従来、銀行、信用金庫、郵便局等の金融機関の支店等には、ＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置が設置されている。そして、利用者は前記自動取引装置を自分で操作して、入金、出金、振込、振替等の金融取引を行うようになっている。この場合、キャッシュカードを使用し、さらに、暗証番号を入力することによって利用者の認証が行われる。なお、利用者が暗証番号入力を行う際には、タッチセンサ方式のキーボードパネルを備える入力機能を兼ね備えたタッチパネル付表示装置において、その画面の中央付近又は所定の位置にテンキーが表示される。そして、前記利用者は、表示されたテンキーの所定の数字キーをタッチし、暗証番号を入力する。
【０００３】
しかし、近年では、利用者のキャッシュカード及び暗証番号を不正に入手し、利用者になりすまして顧客の口座から出金したり送金したりする不正行為が多発している。そこで、利用者が暗証番号を入力する際に入力中の暗証番号を覗（のぞ）き見されることを防止するために、表示の見え方を視野的に規制する遮光フィルタを前記タッチパネル付表示装置と重ね合わせて設けることによって、自動取引装置にデータを入力する利用者の背中方向を除く、前、横、斜め方向からの第三者による覗き見を防ぐ技術が提案されている（例えば、特許文献１参照。）。
【０００４】
これにより、利用者がタッチパネル付表示装置を操作して暗証番号等のデータを入力する際に、第三者に入力したデータを覗き見されないようにすることができる。
【０００５】
そして、前記遮光フィルタとしては、複数の微小なルーバー、又は、ルーバー状エレメントと呼ばれるものを内部に有するフィルム、すなわち、ルーバーフィルムを組み込み、側面方向への表示光の不要な出射を防止して、プライバシー保護や表示のフロントウィンドウへの映り込みを効果的に防止するものが知られている。なお、ルーバーフィルムにおいては、その内部に組み込まれた複数のルーバーが、ルーバーフィルムを透過する光の進行方向を所定の出射角度範囲に制御する効果、すなわち、方向制御効果を発揮する。これにより、側面方向への不要な光の出射を効果的に防止することができる。
【特許文献１】特開２００７−２１２５０７号公報
【発明の開示】
【発明が解決しようとする課題】
【０００６】
しかしながら、前記従来の自動取引装置においては、遮光フィルタが１種類であるため設置環境に限界があり、利用範囲に使用条件をつけなければならなかった。
【０００７】
例えば、２枚のフィルタを備える遮光性の強い遮光フィルタを使用した場合、５００ルクス以下の通常の設置環境においては有効であるが、直射日光が当たるような明るい５００〜１, ０００ルクスの設置環境においては、タッチパネル付表示装置の画面全体が暗くなって見えにくくなってしまう。
【０００８】
また、例えば、１枚だけのフィルタを備える遮光性の弱い遮光フィルタを使用した場合、直射日光が当たるような明るい５００〜１, ０００ルクスの設置環境においては有効であるが、５００ルクス以下の通常の設置環境においては、タッチパネル付表示装置の画面全体が薄っすら見えて、遮光性が効かなくなってしまう。
【０００９】
したがって、遮光性の強いフィルタを使用した自動取引装置の場合、その設置環境を５００ルクス以下にする、というような使用条件をつけるようになっている。
【００１０】
本発明は、前記従来の自動取引装置の問題点を解決して、複数種類の遮光フィルタを切替可能に備え、外部環境の変化に対応し、外部環境に適した遮光フィルタを選択して表示パネルの上に配設するようにして、広範囲の外部環境の変化に対応することができ、外部環境の変化に関わらず、利用者が表示パネルの表示内容を正確に視認することができるとともに、第三者が表示パネルの表示内容を視認することができないようにして、第三者による覗き見を確実に防止することができる自動取引装置を提供することを目的とする。
【課題を解決するための手段】
【００１１】
そのために、本発明の自動取引装置においては、表示パネルと、該表示パネルの表面上に配設された遮光パネルと、該遮光パネルの表面上に配設された透光性のタッチパネルとを備える表示装置と、環境の照度を検出する照度センサとを有し、前記遮光パネルは遮光性の相違する切替可能な複数種類の遮光フィルタを備え、前記照度センサが検出した照度に応じて、前記遮光フィルタを切り替える。
【００１２】
本発明の他の自動取引装置においては、表示パネルと、該表示パネルの表面上に配設された遮光パネルと、該遮光パネルの表面上に配設された透光性のタッチパネルとを備える表示装置と、利用者の接近を検出する近接センサとを有し、前記遮光パネルは遮光方向の相違する切替可能な複数種類の遮光フィルタを備え、前記近接センサが検出した利用者に応じて、前記遮光フィルタを切り替える。
【００１３】
本発明の更に他の自動取引装置においては、表示パネルと、該表示パネルの表面上に配設された遮光パネルと、該遮光パネルの表面上に配設された透光性のタッチパネルとを備える表示装置と、時刻を計時する計時手段とを有し、前記遮光パネルは遮光性の相違する切替可能な複数種類の遮光フィルタを備え、前記計時手段が計時した時刻に応じて、前記遮光フィルタを切り替える。
【００１４】
本発明の更に他の自動取引装置においては、さらに、前記遮光フィルタは３種類以上である。
【００１５】
本発明の更に他の自動取引装置においては、表示パネルと、該表示パネルの表面上に配設された遮光パネルと、該遮光パネルの表面上に配設された透光性のタッチパネルとを備える表示装置と、利用者の接近を検出する近接センサとを有し、前記遮光パネルは有無を切替可能な遮光フィルタを備え、前記近接センサが利用者を検出したか否かに応じて、前記遮光フィルタの有無を切り替える。
【発明の効果】
【００１６】
本発明によれば、自動取引装置は、複数種類の遮光フィルタを切替可能に備え、外部環境の変化に対応し、外部環境に適した遮光フィルタを選択して表示パネルの上に配設するようになっている。これにより、広範囲の外部環境の変化に対応することができ、外部環境の変化に関わらず、利用者が表示パネルの表示内容を正確に視認することができるとともに、第三者が表示パネルの表示内容を視認することができないようにして、第三者による覗き見を確実に防止することができる。
【発明を実施するための最良の形態】
【００１７】
以下、本発明の実施の形態について図面を参照しながら詳細に説明する。
【００１８】
図２は本発明の第１の実施の形態における自動取引装置の斜視図である。
【００１９】
図において、１０は取引処理装置としての自動取引装置であり、銀行、信用金庫、郵便局等の金融機関の支店等に配設され、利用者が、自分で操作して入金、出金、通帳記帳、残高照会、振込、振替、送金等の取引、すなわち、金融取引を行うためのＡＴＭ、ＣＤ等の装置である。なお、前記自動取引装置１０は、コンビニエンスストア、スーパーマーケット、デパート等の商店の店舗、地下街、駅の構内、市役所、病院等の公共施設、工場、事務所等の私企業、駐車場、道路脇（わき）等の屋外等に配設されていてもよい。
【００２０】
なお、前記取引処理装置は、必ずしも金融取引を行うための自動取引装置に限定されるものではなく、例えば、無担保ローン、カードローン等のローン契約を行うために自分で操作する無人契約端末、チケット予約や商品購入申込みを行うためのショッピング端末、タバコや飲料を販売する自動販売機、店舗のレジに配設された代金の精算を行うためのＰＯＳ（Ｐｏｉｎｔ  ｏｆ  Ｓａｌｅｓ）端末、駅の構内等に配設された鉄道の切符を発券するための券売機、空港等に配設された航空機の搭乗券を発券するための発券機等であってもよい。ここでは、説明の都合上、取引処理装置が自動取引装置１０である場合についてのみ説明する。
【００２１】
そして、該自動取引装置１０は、該自動取引装置１０の各部の動作を制御する制御部を有し、図示されないインターフェイス部よりネットワークを介して金融機関のコンピュータセンタ等に配設された勘定系上位装置としてのホストコンピュータと接続されている。なお、前記制御部は、ＣＰＵ、ＭＰＵ等の演算手段、半導体メモリ等の記憶手段を備える一種のコンピュータである。また、前記ネットワークは、専用回線、電話回線等から成る。そして、前記ホストコンピュータには、記憶部としてのデータベースが接続され、該データベースには、金融機関の顧客である利用者の住所、氏名、暗証番号、口座残高、口座番号情報等の各種の情報が記憶されている。
【００２２】
また、前記自動取引装置１０は、記憶部としてのメモリ部を有し、該メモリ部には、前記制御部が実行するプログラム、前記制御部による処理結果等が記憶されている。
【００２３】
さらに、４０は、利用者が操作する操作部としての接客部であり、自動取引装置１０の前面に配設されている。前記接客部４０は、ＣＲＴ、ＬＣＤ（Ｌｉｑｕｉｄ  Ｃｒｙｓｔａｌ  Ｄｉｓｐｌａｙ）等の表示装置２０を備え、各種の画面を表示する表示部としての後述される表示パネル２３、該表示パネル２３の表面上に配設された遮光フィルタとしての遮光パネル２１、及び、該遮光パネル２１の表面上に配設されたタッチパネルとしての透光板２２を有する。前記表示装置２０は、表示機能と入力機能とを兼ね備え、取引選択画面、利用者の希望等を問い合わせる画面、自動取引装置の利用者の操作を促す画面、取引金額を入力する画面、暗証番号を入力する画面等の画面において、テンキー、操作選択ボタン等の入力手段を表示し、前記利用者の入力を受け付ける。
【００２４】
そして、１２は、カードを処理するカード処理部のカード挿入返却口である。前記カード処理部は、金融機関が発行し、金融機関毎のコード、利用者の口座番号、氏名等の顧客情報が記憶された顧客識別カード、すなわち、キャッシュカード、振込先機関のコード等の振込情報が記録されている振込専用カード、すなわち、振込カード等のカードから、該カードに記憶されている情報を読み出す機能を有する。
【００２５】
また、前記カード処理部の前面側にはカード挿入返却口１２を通して、キャッシュカード及び振込カードが挿入されたり排出されたりするようになっている。なお、前記キャッシュカード及び振込カードは、顧客の氏名、口座番号等の情報を記憶する磁気ストライプを備える。さらに、前記情報を記憶する記憶手段は、前記磁気ストライプの代わりに、キャッシュカード及び振込カードに埋め込まれたＩＣであってもよい。
【００２６】
さらに、１５は、預金通帳等の通帳に記帳する通帳処理部の通帳挿入返却口である。ここで、前記通帳は、金融機関が顧客に対して発行した預金通帳等の冊子状の通帳であり、入金、出金、振込、振替、送金、定期性預金設定等の金融取引の記録が印刷されるものである。なお、前記通帳の表紙又は裏表紙には、利用者の氏名、口座番号等の情報を記憶する磁気ストライプを備える。さらに、前記情報を記憶する記憶手段は、前記磁気ストライプの代わりに、通帳に埋め込まれたＩＣであってもよい。
【００２７】
また、前記通帳挿入返却口１５内には、通帳を搬送する図示されない搬送装置、通帳に前記金融取引の記録を印刷する印字ヘッド、及び、通帳の磁気ストライプやＩＣに格納された情報の読取、上書、消去等を行うための磁気ヘッド、ＩＣ接点等が配設されている。
【００２８】
さらに、前記自動取引装置１０は、取引内容が印刷された明細票を発行する図示されないレシート処理部を備える。前記明細票は、入金、出金、残高照会、振込、振替、送金、定期性預金設定等の顧客が行った金融取引に関する情報が印刷される紙片であり、口座番号、金融取引の種類、取引金額等が印刷される。なお、前記明細票は、利用者が希望したときだけに発行されるようにしてもよい。
【００２９】
そして、１６は紙幣入出金部の紙幣入出金口であり、前記紙幣入出金部は、利用者によって入金される紙幣を真偽鑑別、計数し、図示されない一時貯留部に貯留し、該一時貯留部から繰り出して搬送して図示されない金種別保管金庫に収納し、又は、利用者に支払われる紙幣を金種別保管金庫より繰り出すものである。さらに、１７は硬貨入出金部の硬貨入出金口であり、前記硬貨入出金部は、利用者によって入金される硬貨を真偽鑑別、計数し、搬送して図示されない金種別保管金庫に収納し、又は、利用者に支払われる硬貨を金種別保管金庫より繰り出すものである。
【００３０】
なお、紙幣入出金口１６は、利用者が投入した紙幣を受け付けるための紙幣入金口、及び、利用者に紙幣を引き渡すための紙幣出金口として機能する。また、前記硬貨入出金口１７は、利用者が投入した硬貨を受け付けるための硬貨入金口、及び、利用者に硬貨を引き渡すための硬貨出金口として機能する。
【００３１】
また、１３は自動取引装置１０の配設された環境の照度を定期的に監視する照度センサである。
【００３２】
次に、前記自動取引装置１０が有する表示装置２０の構成について詳細に説明する。
【００３３】
図１は本発明の第１の実施の形態における表示装置の構成を示す図である。
【００３４】
図に示されるように、本実施の形態における表示装置２０は、表示手段としての表示パネル２３、該表示パネル２３の周囲を覆うように配設された遮光パネル２１、及び、前記表示パネル２３の表面上に、遮光パネル２１を挟んで配設されたタッチパネルとしての透光板２２を有する。
【００３５】
前記表示パネル２３は、ＬＣＤパネル、ＬＥＤ（Ｌｉｇｈｔ  Ｅｍｉｔｔｉｎｇ  Ｄｉｏｄｅ）パネル等を備え、取引選択画面、利用者の希望等を問い合わせる画面、自動取引装置の利用者の操作を促す画面、取引金額を入力する画面、暗証番号を入力する画面等の画面を表示する。なお、表示パネル２３が発する表示光は、遮光パネル２１及び透光板２２を通過して利用者に視認される。
【００３６】
また、前記透光板２２は、例えば、ポリカーボネイト樹脂、アクリル樹脂等の透明な樹脂から成り、前記表示パネル２３が発する表示光を通過させるとともに、図示されないタッチセンサを備え、利用者の指等が接触した位置を検出するタッチパネルとして機能する。
【００３７】
さらに、前記遮光パネル２１は、柔軟性を備える材料から形成された無限軌道状のベルト部材であり、前記表示パネル２３の周囲を１周するような形状で、かつ、前記表示パネル２３の両側に配設されたローラとしての駆動ローラ２４及び従動ローラ２５の周囲に巻き付いて張設されている。そして、前記駆動ローラ２４が図示されないモータ等の駆動源によって回転させられると、前記遮光パネル２１は表示パネル２３の周囲を回転する。
【００３８】
ここで、前記遮光パネル２１は、遮光性の強い第１の遮光フィルタ２１ａと遮光性の弱い第２の遮光フィルタ２１ｂとを備える。図に示される例においては、第１の遮光フィルタ２１ａが表示パネル２３の表面上、すなわち、該表示パネル２３と透光板２２との間に位置し、第２の遮光フィルタ２１ｂが表示パネル２３の裏面上に位置している。
【００３９】
前記第１の遮光フィルタ２１ａ及び第２の遮光フィルタ２１ｂは、可視範囲をコントロールする光学フィルタであって、交互に並んで配設された複数の透明層及び複数の遮光ルーバーを備え、表示パネル２３から所定の方向へ出射される表示光を遮光する。なお、前記透明層は、例えば、ポリカーボネイト樹脂、アクリル樹脂等の透明な樹脂から成り、前記遮光ルーバーは、一般にカーボンブラックを含有する樹脂から成るが、他の暗色化剤を含有する材料から成るものであってもよい。また、前記遮光ルーバーは、互いに平行になるように配列されている。この場合、各遮光ルーバーの延在する方向は、表示装置２０が装着された自動取引装置１０の左右方向に直交する方向であることが望ましい。これは、覗き見をする第三者は、通常、自動取引装置１０の左右から覗き見をすると考えられるので、自動取引装置１０の左右方向に向けて出る表示パネル２３からの表示光を遮光ルーバーによって効果的に遮断するためである。
【００４０】
なお、前記第２の遮光フィルタ２１ｂは、透明層及び遮光ルーバーから成るフィルム状のフィルタ層を１枚のみ備えるものであり、遮光性が比較的弱くなっている。これに対し、前記第１の遮光フィルタ２１ａは、同様のフィルタ層を複数枚、例えば、２枚重ねて備えるものであり、遮光性が比較的強くなっている。
【００４１】
そして、自動取引装置１０の外部環境、すなわち、自動取引装置１０の配設された場所の環境の照度が低い場合、例えば、金融機関の支店のＡＴＭブースの照明が暗かったりしたような場合には、遮光パネル２１を回転させて遮光性の強い第１の遮光フィルタ２１ａを表示パネル２３の表面上に位置させる。また、自動取引装置１０の配設された場所の環境の照度が高い場合、例えば、金融機関の支店のＡＴＭブースの照明が明るかったり、ＡＴＭブースに夕日が差し込んだりしたような場合には、遮光パネル２１を回転させて遮光性の弱い第２の遮光フィルタ２１ｂを表示パネル２３の表面上に位置させる。
【００４２】
次に、前記構成の自動取引装置１０の動作について説明する。
【００４３】
図３は本発明の第１の実施の形態における自動取引装置の動作を示すフローチャートである。
【００４４】
まず、金融機関等の係員が始業時等に自動取引装置１０の電源を投入すると、該自動取引装置１０の各部へ電力が供給される。これにより、該自動取引装置１０のメモリ部に記憶されている業務実行プログラムが自動的に起動される。そして、該業務実行プログラムが起動すると、自動取引装置１０の制御部は、表示装置２０に取引選択画面を表示させて待機する。該取引選択画面には、取引ボタンの押下を促す旨の文言、及び、出金取引を選択するためのボタン、入金取引を選択するためのボタン、振込取引を選択するためのボタン、振替取引を選択するためのボタン、口座残高を照会する残高照会取引を選択するためのボタン、通帳に未記入の取引データを記入する通帳記入取引を選択するためのボタン等の各種金融取引を選択するための取引ボタンが表示されている。
【００４５】
また、前記制御部は、定期的に、照度センサ１３が検出した自動取引装置１０の配設された環境の照度を監視する。そして、前記制御部は、照度センサ１３が検出した照度が基準値以下であるか否かを判断する。なお、前記基準値は、例えば、５００ルクスであるが、第１の遮光フィルタ２１ａ及び第２の遮光フィルタ２１ｂの特性に応じて、適宜変更することができる。
【００４６】
そして、照度が基準値以下である場合、制御部は、第１の遮光フィルタ２１ａを使用する。すなわち、駆動ローラ２４を回転させ、図１に示されるように、遮光性の強い第１の遮光フィルタ２１ａを表示パネル２３の表面上に位置させる。
【００４７】
また、照度が基準値以下でない場合、すなわち、照度が基準値を超えている場合、制御部は、第２の遮光フィルタ２１ｂを使用する。すなわち、駆動ローラ２４を回転させ、遮光性の弱い第２の遮光フィルタ２１ｂを表示パネル２３の表面上に位置させる。
【００４８】
続いて、前記制御部は取引操作があるか否かを判断する。この場合、利用者が表示装置２０の取引選択画面に表示されたボタンを選択したか否かを判断する。そして、取引操作がない場合、前記制御部は、再び、照度を監視し、以降の動作を繰り返す。
【００４９】
また、取引操作がある場合、前記制御部は、利用者の選択した取引を表示装置２０の透光板２２からの位置信号等によって、どの取引が選択されたかを認識し、選択された取引操作を開始する。この場合、制御部は照度の監視を行わない。そして、取引操作が終了すると、前記制御部は、再び、照度を監視し、以降の動作を繰り返す。
【００５０】
次に、フローチャートについて説明する。
ステップＳ１  自動取引装置１０の電源を投入する。
ステップＳ２  照度センサ１３は自動取引装置１０の照度環境を監視する。
ステップＳ３  照度が基準値以下であるか否かを判断する。照度が基準値以下である場合はステップＳ４に進み、照度が基準値以下でない場合はステップＳ５に進む。
ステップＳ４  制御部は、第１の遮光フィルタ２１ａを使用する。
ステップＳ５  制御部は、第２の遮光フィルタ２１ｂを使用する。
ステップＳ６  取引操作があるか否かを判断する。取引操作がある場合はステップＳ７に進み、取引操作がない場合はステップＳ２に戻る。
ステップＳ７  選択された取引操作を開始する。
ステップＳ８  取引操作が終了した後、ステップＳ２に戻る。
【００５１】
このように、本実施の形態においては、自動取引装置１０の外部環境に応じて、第１の遮光フィルタ２１ａ又は第２の遮光フィルタ２１ｂを選択して表示パネル２３の表面上に位置させることができる。これにより、第三者による覗き見を確実に防止することができるとともに、利用者による表示画面の視認性を向上させることができる。
【００５２】
次に、本発明の第２の実施の形態について説明する。なお、第１の実施の形態と同じ構成を有するものについては、同じ符号を付与することによって、その説明を省略する。また、前記第１の実施の形態と同じ動作及び同じ効果についても、その説明を省略する。
【００５３】
図４は本発明の第２の実施の形態における自動取引装置の斜視図、図５は本発明の第２の実施の形態における表示装置の構成を示す図である。
【００５４】
本実施の形態における自動取引装置１０は、図４に示されるように、前記第１の実施の形態における照度センサ１３に代えて、複数の近接センサ１４を有する。
【００５５】
また、本実施の形態における表示装置２０の遮光パネル２１は、図５に示されるように、前記第１の実施の形態における第１の遮光フィルタ２１ａ及び第２の遮光フィルタ２１ｂに代えて、表示装置２０の左右方向及び上方向を遮光することができる３方向遮光フィルタとしての第３の遮光フィルタ２１ｃと、表示装置２０の左右方向及び上下方向を遮光することができる４方向遮光フィルタとしての第４の遮光フィルタ２１ｄとを備える。図に示される例においては、第３の遮光フィルタ２１ｃが表示パネル２３の表面上に位置し、第４の遮光フィルタ２１ｄが表示パネル２３の裏面上に位置している。
【００５６】
前記第３の遮光フィルタ２１ｃ及び第４の遮光フィルタ２１ｄは、第１の遮光フィルタ２１ａ及び第２の遮光フィルタ２１ｂと同様に、遮光ルーバーを備えるものであるが、該遮光ルーバーの配列の方向及び位置を変化させることによって、遮光する方向を変化させている。そして、表示装置２０の上方向とは、図４に示されるような自動取引装置１０における奥側方向に該当し、表示装置２０の下方向とは自動取引装置１０における手前側方向に該当する。
【００５７】
なお、その他の点の構成については、前記第１の実施の形態と同様であるので、その説明を省略する。
【００５８】
次に、本実施の形態における自動取引装置１０の動作について説明する。
【００５９】
図６は本発明の第２の実施の形態における自動取引装置の動作を示すフローチャートである。
【００６０】
まず、金融機関等の係員が始業時等に自動取引装置１０の電源を投入すると、該自動取引装置１０の各部へ電力が供給される。これにより、該自動取引装置１０のメモリ部に記憶されている業務実行プログラムが自動的に起動される。そして、該業務実行プログラムが起動すると、自動取引装置１０の制御部は、表示装置２０に取引選択画面を表示させて待機する。該取引選択画面には、取引ボタンの押下を促す旨の文言、及び、出金取引を選択するためのボタン、入金取引を選択するためのボタン、振込取引を選択するためのボタン、振替取引を選択するためのボタン、口座残高を照会する残高照会取引を選択するためのボタン、通帳に未記入の取引データを記入する通帳記入取引を選択するためのボタン等の各種金融取引を選択するための取引ボタンが表示されている。
【００６１】
また、前記制御部は、定期的に、近接センサ１４によって利用者の接近を監視する。そして、利用者が自動取引装置１０に接近すると、前記制御部は、当該利用者が背が低い者又は車椅子（いす）に腰掛けた者であるか否かを判断する。なお、前記近接センサ１４は、高さの異なる位置に複数配設されているので、どの高さに配設された近接センサ１４が利用者の接近を検出し、どの高さに配設された近接センサ１４が利用者の接近を検出していないかに基づいて、利用者が背が低い者又は車椅子に腰掛けた者であるか否かを判断することができる。
【００６２】
そして、接近した利用者が背が低い者であるか又は車椅子に腰掛けた者である場合、制御部は、第３の遮光フィルタ２１ｃを使用する。すなわち、駆動ローラ２４を回転させ、図５に示されるように、左右方向及び上方向を遮光することができる３方向遮光フィルタである第３の遮光フィルタ２１ｃを表示パネル２３の表面上に位置させる。この場合、自動取引装置１０における手前側方向が遮光されていないので、背が低い利用者又は車椅子に腰掛けた利用者であっても、自動取引装置１０の手前側の低い視点から表示装置２０に表示された文言、ボタン等を正常に視認することができる。これにより、利用者は、取引操作をスムーズに行うことができる。
【００６３】
また、接近した利用者が背が低い者でもなく、車椅子に腰掛けた者でもない場合、制御部は、第４の遮光フィルタ２１ｄを使用する。すなわち、駆動ローラ２４を回転させ、左右方向及び上下方向を遮光することができる４方向遮光フィルタである第４の遮光フィルタ２１ｄを表示パネル２３の表面上に位置させる。
【００６４】
続いて、前記制御部は、利用者の選択した取引を表示装置２０の透光板２２からの位置信号等によって、どの取引が選択されたかを認識し、選択された取引操作を開始する。この場合、制御部は利用者の接近の監視を行わない。そして、取引操作が終了すると、前記制御部は、再び、利用者の接近を監視し、以降の動作を繰り返す。
【００６５】
次に、フローチャートについて説明する。
ステップＳ１１  自動取引装置１０の電源を投入する。
ステップＳ１２  近接センサ１４によって利用者の接近を監視する。
ステップＳ１３  接近した利用者が背が低い者又は車椅子に腰掛けた者であるか否かを判断する。接近した利用者が背が低い者又は車椅子に腰掛けた者である場合はステップＳ１４に進み、接近した利用者が背が低い者又は車椅子に腰掛けた者でない場合はステップＳ１５に進む。
ステップＳ１４  制御部は、第３の遮光フィルタ２１ｃを使用する。
ステップＳ１５  制御部は、第４の遮光フィルタ２１ｄを使用する。
ステップＳ１６  選択された取引操作を開始する。
ステップＳ１７  取引操作が終了した後、ステップＳ１２に戻る。
【００６６】
このように、本実施の形態においては、自動取引装置１０の利用者に応じて、第３の遮光フィルタ２１ｃ又は第４の遮光フィルタ２１ｄを選択して表示パネル２３の表面上に位置させることができる。これにより、第三者による覗き見を確実に防止することができるとともに、背が低い利用者又は車椅子に腰掛けた利用者による表示画面の視認性を向上させることができる。
【００６７】
なお、前記第１の実施の形態においては、照度センサ１３が検出した照度に応じて、第１の遮光フィルタ２１ａと第２の遮光フィルタ２１ｂとを切り替える場合について説明したが、昼と夜との照度の違いを考慮し、時計等の計時手段が計時した時刻に応じて第１の遮光フィルタ２１ａと第２の遮光フィルタ２１ｂとを切り替えるようにしてもよい。
【００６８】
また、前記第２の実施の形態においては、遮光方向の異なる第３の遮光フィルタ２１ｃと第４の遮光フィルタ２１ｄとを切り替える場合について説明したが、遮光フィルタを使用する場合と遮光フィルタを使用しない場合とに切り替えるようにして、利用者がいない場合には遮光フィルタを使用せずに、表示装置２０の画面を周囲から見やすくすることによって、表示装置２０に宣伝用画面を表示させることもできる。
【００６９】
さらに、前記第１及び第２の実施の形態においては、２種類の遮光フィルタを切り替える場合について説明したが、３種類以上の遮光フィルタを切り替えるようにして、適応可能な環境範囲を広げることもできる。
【００７０】
なお、本発明は前記実施の形態に限定されるものではなく、本発明の趣旨に基づいて種々変形させることが可能であり、それらを本発明の範囲から排除するものではない。
【図面の簡単な説明】
【００７１】
【図１】本発明の第１の実施の形態における表示装置の構成を示す図である。
【図２】本発明の第１の実施の形態における自動取引装置の斜視図である。
【図３】本発明の第１の実施の形態における自動取引装置の動作を示すフローチャートである。
【図４】本発明の第２の実施の形態における自動取引装置の斜視図である。
【図５】本発明の第２の実施の形態における表示装置の構成を示す図である。
【図６】本発明の第２の実施の形態における自動取引装置の動作を示すフローチャートである。
【符号の説明】
【００７２】
１０    自動取引装置
１３    照度センサ
１４    近接センサ
２０    表示装置
２１    遮光パネル
２１ａ    第１の遮光フィルタ
２１ｂ    第２の遮光フィルタ
２１ｃ    第３の遮光フィルタ
２１ｄ    第４の遮光フィルタ
２２    透光板
２３    表示パネル
【図１】
2009157667.tif 000003
【図２】
2009157667.tif 000004
【図３】
2009157667.tif 000005
【図４】
2009157667.tif 000006
【図５】
2009157667.tif 000007
【図６】
2009157667.tif 000008